(57)【要約】  【課題】  大容量記録媒体のＨＤＤへの暗号化を用いずに各種データの著作権の保護を行える記録再生装置を提供すること  。  【解決手段】  各種情報を記録する記録媒体６と、該記録媒体６を制御するホストコントローラ部５と、該ホストコントローラ部５と上記記録媒体６との間で通信の制御を行う通信制御部４と、上記記録媒体６に保存されたデータの再生処理部７とを備え、上記記録媒体６に保護領域９と非保護領域８を設け、上記ホストコントローラ部５からの命令で上記データの再生をすることにより、上記非保護領域８から上記保護領域９へデータを移動させ、上記保護領域９へ移動したデータを外部装置からアクセスできないようにする。【選択図】  図１
2005158011.tif 000002
【特許請求の範囲】
【請求項１】
著作権保護を必要とするコンテンツデータを記録再生する記録再生装置において、
保護領域と非保護領域とを有し、各種情報を記録するデータ記録媒体と、
上記データ記録媒体を制御するホストコントローラ部と、
上記ホストコントローラ部と上記データ記録媒体との間で通信の制御を行い、上記ホストコントローラからの再生命令により上記著作権保護が必要なコンテンツデータの再生を行う際に、該データを上記非保護領域から上記保護領域へ移動させ、該保護領域へ移動したコンテンツデータに対する外部装置からのアクセスを不可能となるように制御を行う通信制御部と、
上記データ記録媒体に保存されたデータの再生処理を行う再生処理部と、
を備えたことを特徴とする記録再生装置。
【請求項２】
請求項１記載の記録再生装置において、
上記通信制御部は、
上記データ記録媒体の上記非保護領域に対して、上記外部装置からの直接アクセスを許可し、上記データ記録媒体の上記保護領域に対しては、上記外部装置からの直接アクセスを拒否するように制御する、
ことを特徴とする記録再生装置。
【請求項３】
請求項１記載の記録再生装置において、
上記データ記録媒体は、
上記記録再生装置に設けられた固定式の大容量のハードディスクである、
ことを特徴とする記録再生装置。
【請求項４】
請求項１記載の記録再生装置において、
上記ホストコントローラ部は、
各種のデータを上記データ記録媒体の非保護領域へダウンロードするための外部入出力インターフェースと、
ユーザがコマンド指示操作を行うユーザインタフェースと、
各種情報を表示するための表示手段と、
を備えたことを特徴とする記録再生装置。
【請求項５】
請求項１記載の記録再生装置において、
上記通信制御部は、
上記ホストコントローラが上記データ記録媒体の上記非保護領域または上記保護領域のいずれに対する通信を要求しているのかを判断し、上記外部装置からの上記保護領域へのアクセスを拒否する、
ことを特徴とする記録再生装置。
【請求項６】
請求項４記載の記録再生装置において、
上記データ記録媒体の上記保護領域に保存されるデータの移動，削除、及び再生処理は、上記ホストコントローラ部の上記表示手段に表示されるデータファイル名を上記ユーザインタフェースにより選択して行う、
ことを特徴とする記録再生装置。
【請求項７】
請求項４記載の記録再生装置において、
上記再生処理部は、
上記ホストコントローラ部の上記表示手段に表示されるデータファイル名を上記ユーザインタフェースにより参照して選択することで、所定のコンテンツデータを再生する、
ことを特徴とする記録再生装置。
【請求項８】
請求項１記載の記録再生装置において、
上記ホストコントローラ部は、
上記データ記録媒体に記録するコンテンツデータの容量に応じて、上記保護領域と上記非保護領域とのサイズを変更する制御を行う、
ことを特徴とする記録再生装置。
【請求項９】
請求項８記載の記録再生装置において、
上記ホストコントローラ部は、
上記データ記録媒体の下位領域へ割り当てられた領域の管理情報及びデータを、上記データ記録媒体の最終セクタから保存する制御を行う、
ことを特徴とする記録再生装置。
【請求項１０】
請求項８記載の記録再生装置において、
上記非保護領域は上記データ記録媒体の上位領域に割り当られ、上記保護領域は上記データ記録媒体の下位領域へ割り当てられる、
ことを特徴とする記録再生装置。
【発明の詳細な説明】
【技術分野】
【０００１】
本発明は記録再生装置に関し、特にコンピュータで扱うプログラムやデータ、さらにオーディオデータや映像などのコンテンツデータを記録する大容量記録媒体の著作権保護を行う記録再生装置における著作権保護システムを備えたものに関するものである。
【背景技術】
【０００２】
近年、マルチメディア対応のパーソナルコンピュータ（以下、ＰＣと記述する）が開発されている。この種のＰＣは、ネットを通じて画像データや音楽データなどの様々なコンテンツデータをダウンロードして使用することが可能である。
【０００３】
ユーザは、ＰＣにインストールされたＯＳ（オペレーションシステム）での操作により、コンテンツデータのコピーやディスク以外の記憶媒体へのデータの移動処理を容易に行なうことが可能である。また、複製されたファイルについては、複製元のファイルを特定することは困難である。そのため、音楽情報などの著作権保護が必要なコンテンツデータをハードディスクドライブ（以下、ＨＤＤと記述する）等の情報記録媒体に記録する場合、コンテンツデータの不正な利用や改ざんを抑止するために、暗号化プログラムまたは専用のソフトウェアによって、コンテンツデータの暗号化処理を行う。暗号化されたコンテンツデータは、暗号を解くための暗号鍵を用いることで復号処理を行い、コンテンツデータの利用ができるようになる。（例えば、特許文献１参照）
【特許文献１】特開２００３−６９５５１号公報（第４０頁、第９９図）
【発明の開示】
【発明が解決しようとする課題】
【０００４】
従来の記録再生装置は以上のように構成されており、ＨＤＤのような大容量な情報記録媒体に対して、コンテンツデータを記録した場合に、著作権の保護を必要とするコンテンツデータを専用のソフトウェアまたは、暗号化プログラムによって、暗号化/復号化処理を行うため、専用のソフトウェアを使用する場合、ユーザの手間がかかってしまう。さらに、暗号化/復号化処理に時間がかかるという問題点があった。
【０００５】
本発明は、以上のような問題点を解消するためになされたもので、暗号化プログラムまたはソフトウェアによって、著作権の保護を必要とするコンテンツデータの暗号化/復号化処理をすることなく、コンテンツデータを不正使用から保護し、コンテンツデータの容易な利用と保護の両立を図ることができる記録再生装置を提供することを目的とする。
【課題を解決するための手段】
【０００６】
本発明の請求項１にかかる記録再生装置は、著作権保護を必要とするコンテンツデータを記録再生する記録再生装置において、保護領域と非保護領域とを有し、各種情報を記録するデータ記録媒体と、上記データ記録媒体を制御するホストコントローラ部と、上記ホストコントローラ部と上記データ記録媒体との間で通信の制御を行い、上記ホストコントローラからの再生命令により上記著作権保護が必要なコンテンツデータの再生を行う際に、該データを上記非保護領域から上記保護領域へ移動させ、該保護領域へ移動したコンテンツデータに対する外部装置からのアクセスを不可能となるように制御を行う通信制御部と、上記データ記録媒体に保存されたデータの再生処理を行う再生処理部と、を備えたものである。
【０００７】
また、本発明の請求項２にかかる記録再生装置は、請求項１記載の記録再生装置において、上記通信制御部は、上記データ記録媒体の上記非保護領域に対して、上記外部装置からの直接アクセスを許可し、上記データ記録媒体の上記保護領域に対しては、上記外部装置からの直接アクセスを拒否するように制御する、ことを特徴とするものである。
【０００８】
また、本発明の請求項３にかかる記録再生装置は、請求項１記載の記録再生装置において、上記データ記録媒体は、上記記録再生装置に設けられた固定式の大容量のハードディスクであることを特徴とするものである。
【０００９】
また、本発明の請求項４にかかる記録再生装置は、請求項１記載の記録再生装置において、上記ホストコントローラ部は、各種のデータを上記データ記録媒体の非保護領域へダウンロードするための外部入出力インターフェースと、ユーザがコマンド指示操作を行うユーザインタフェースと、各種情報を表示するための表示手段と、を備えたことを特徴とするものである。
【００１０】
また、本発明の請求項５にかかる記録再生装置は、請求項１記載の記録再生装置において、上記通信制御部は、上記ホストコントローラが上記データ記録媒体の上記非保護領域または上記保護領域のいずれに対する通信を要求しているのかを判断し、上記外部装置からの上記保護領域へのアクセスを拒否することを特徴とするものである。
【００１１】
また、本発明の請求項６にかかる記録再生装置は、請求項４記載の記録再生装置において、上記データ記録媒体の上記保護領域に保存されるデータの移動，削除、及び再生処理は、上記ホストコントローラ部の上記表示手段に表示されるデータファイル名を上記ユーザインタフェースにより選択して行う、ことを特徴とするものである。
【００１２】
また、本発明の請求項７にかかる記録再生装置は、請求項４記載の記録再生装置において、上記再生処理部は、上記ホストコントローラ部の上記表示手段に表示されるデータファイル名を上記ユーザインタフェースにより参照して選択することで、所定のコンテンツデータを再生することを特徴とするものである。
【００１３】
また、本発明の請求項８にかかる記録再生装置は、請求項１記載の記録再生装置において、上記ホストコントローラ部が、上記データ記録媒体に記録するコンテンツデータの容量に応じて、上記保護領域と上記非保護領域とのサイズを変更する制御を行うことを特徴とするものである。
【００１４】
また、本発明の請求項９にかかる記録再生装置は、請求項８記載の記録再生装置において、上記ホストコントローラ部が、上記データ記録媒体の下位領域へ割り当てられた領域の管理情報及びデータを、上記データ記録媒体の最終セクタより保存する制御を行うことを特徴とするものである。
【００１５】
また、本発明の請求項１０にかかる記録再生装置は、請求項８記載の記録再生装置において、上記非保護領域が上記データ記録媒体の上位領域に割り当てられ、上記保護領域が上記データ記録媒体の下位領域へ割り当てられることを特徴とするものである。
【発明の効果】
【００１６】
本発明（請求項１）にかかる記録装置によれば、著作権保護を必要とするコンテンツデータを記録再生する記録再生装置において、保護領域と非保護領域とを有し、各種情報を記録するデータ記録媒体と、上記データ記録媒体を制御するホストコントローラ部と、上記ホストコントローラ部と上記データ記録媒体との間で通信の制御を行い、上記ホストコントローラからの再生命令により上記著作権保護が必要なコンテンツデータの再生を行う際に、該データを上記非保護領域から上記保護領域へ移動させ、該保護領域へ移動したコンテンツデータに対する外部装置からのアクセスを不可能となるように制御を行う通信制御部と、上記データ記録媒体に保存されたデータの再生処理を行う再生処理部と、を備えたものとしたので、ＨＤＤのような大容量な情報記録媒体に対して、コンテンツデータを記録した場合に、著作権の保護を必要とするコンテンツデータを専用のソフトウェアまたは、暗号化プログラムによって、暗号化/復号処理を行うための処理を必要とせず、ユーザの手間がかからない。更に、暗号化/復号処理の時間を省略するため、記録再生装置の処理時間の短縮ができるとともに低消費電力化を図ることができる効果がある。
【００１７】
また、本発明（請求項２）にかかる記録再生装置は、請求項１記載の記録再生装置において、上記通信制御部は、上記データ記録媒体の上記非保護領域に対して、上記外部装置からの直接アクセスを許可し、上記データ記録媒体の上記保護領域に対しては、上記外部装置からの直接アクセスを拒否するように制御するようにしたので、ＰＣなどの外部装置により、保護領域に記録されたコンテンツが外部に取り出されたり、複写されたりすることがないという効果が得られる。
【００１８】
また、本発明（請求項３）にかかる記録再生装置は、請求項１記載の記録再生装置において、上記データ記録媒体は、上記記録再生装置に設けられた固定式の大容量のハードディスクとしたので、ハードディスクのような大容量な情報記録媒体に対して、コンテンツデータを記録した場合に、著作権の保護を必要とするコンテンツデータを専用のソフトウェアまたは、暗号化プログラムによって、暗号化/復号処理を行うための処理を必要とせず、ユーザの手間がかからない。更に、暗号化/復号処理の時間を省略するため、記録再生装置の処理時間の短縮ができるとともに低消費電力化を図ることができる効果がある。
【００１９】
また、本発明（請求項４）にかかる記録再生装置は、請求項１記載の記録再生装置において、上記ホストコントローラ部は、各種のデータを上記データ記録媒体の非保護領域へダウンロードするための外部入出力インターフェースと、ユーザがコマンド指示操作を行うユーザインタフェースと、各種情報を表示するための表示手段と、を備えたものとしたので、ユーザは非保護領域へのコンテンツデータのダウンロードや、コンテンツデータの選択を表示手段を介して容易に行うことができるという効果が得られる。
【００２０】
また、本発明（請求項５）にかかる記録再生装置は、請求項１記載の記録再生装置において、上記通信制御部は、上記ホストコントローラが上記データ記録媒体の上記非保護領域または上記保護領域のいずれに対する通信を要求しているのかを判断し、上記外部装置からの上記保護領域へのアクセスを拒否するようにしたので、ホストコントローラからの指令が外部装置からのものであるか否かを判断することができ、著作権保護の必要なコンテンツが外部に取り出されたり、複写されたりすることがないという効果が得られる。
【００２１】
また、本発明（請求項６）にかかる記録再生装置は、請求項４記載の記録再生装置において、上記データ記録媒体の上記保護領域に保存されるデータの移動，削除、及び再生処理は、上記ホストコントローラ部の上記表示手段に表示されるデータファイルを上記ユーザインタフェースにより選択して行うようにしたので、ユーザが非保護領域のコンテンツデータの操作を行う際の操作確認を表示手段を介して容易に行うことができるという効果が得られる。
【００２２】
また、本発明（請求項７）にかかる記録再生装置は、請求項４記載の記録再生装置において、上記再生処理部は、上記ホストコントローラ部の上記表示手段に表示されるデータファイル名を、上記ユーザインタフェースにより参照して選択することで、所定のコンテンツデータを再生するようにしたので、ユーザがコンテンツデータの操作を行う際の操作確認を表示手段を介して容易に行うことができるという効果が得られる。
【００２３】
また、本発明（請求項８）にかかる記録再生装置は、請求項１記載の記録再生装置において、上記ホストコントローラ部が、上記データ記録媒体に記録するコンテンツデータの容量に応じて、上記保護領域と上記非保護領域とのサイズを変更する制御を行うようにしたので、記録媒体の限られた記録容量を効率良く利用することができるという効果が得られる。
【００２４】
また、本発明（請求項９）にかかる記録再生装置は、請求項８記載の記録再生装置において、上記ホストコントローラ部が、上記データ記録媒体の下位領域へ割り当てられた領域の管理情報及びデータを、上記データ記録媒体の最終セクタより保存する制御を行うようにしたので、上位領域及び下位領域のサイズ変更に伴うファイル移動の処理を極力減らすことができ、上位領域と下位領域のサイズ変更を短時間で効率良く行うことができるという効果が得られる。
【００２５】
また、本発明（請求項１０）にかかる記録再生装置は、請求項８記載の記録再生装置において、上記非保護領域が上記データ記録媒体の上位領域へ割り当てられ、上記保護領域が上記データ記録媒体の下位領域へ割り当てられるようにしたので、保護領域のセキュリティを高めることができる効果が得られる。
【発明を実施するための最良の形態】
【００２６】
以下に、本発明の記録再生装置の実施の形態を図面とともに詳細に説明する。
（実施の形態１）
図１は、本発明の実施の形態１にかかる記録再生装置の構成例を示す図である。図１において、本発明の記録再生装置１は、ホストコントローラ部５、通信制御部４、大容量の記憶媒体６であるＨＤＤ、再生処理部７にて構成される  。
【００２７】
上記ホストコントローラ部５は、図２のように記録再生装置１の全体を制御するＣＰＵ１３、メモリ１２、データ入出力部１１、表示デバイス１４、操作キー１５から構成されている。
【００２８】
上記メモリ１２は、各種の処理を実行する際におけるプログラムの一時的な記憶、データのバッファリングや、ＣＰＵ１３の拡張ワーク領域に使用されたり、外部ＰＣとのデータ入出力を行う 。
【００２９】
上記データ入出力部１１は、例えば、ＵＳＢインターフェースを介して外部のＰＣ（パーソナルコンピュータ）や周辺機器などとの間で、コンピュータデータ，画像データ，オーディオデータなどの各種データの送受信を行う。上記表示デバイス１４、操作キー１５は、ユーザが記録再生装置１の基本操作を行うために使用するインターフェースである。
【００３０】
また、上記記憶媒体６は、ホストコントローラ部５からのコマンドや、データ通信制御を行うＨＤコントローラ２，ディスク３で構成される。
【００３１】
上記ＨＤコントローラ２は、上記ホストコントローラ部５からのコマンド，データの通信以外に、後述するディスク３を記憶領域として使用する際のメモリの管理を行う。
【００３２】
上記ディスク３は、上記記録再生装置１に固定され、使用するためには、予めユーザが記憶再生装置１のディスク３の領域を分割した後にフォーマットを行う必要がある 。
【００３３】
上記ディスク３の領域の分割、及びフォーマットは、ホストコントローラ部５にあるメモリに存在する専用のソフトウェアから行う。ディスク３の領域を分割して得られた各領域は、非保護領域８と保護領域９とに分けられ、いずれの領域が非保護領域８と保護領域９に振り分けられているかは、記録再生装置１より判断することができる。しかし、外部接続されたＰＣ等からは、確認することができない。
【００３４】
上記非保護領域８は、ＰＣ等から外部ドライブとして扱える領域で、外部アクセス可能であり、ＯＳで動作するファイル操作ソフト等によりディレクトリ、ファイルへアクセスすることができる。一方、上記保護領域９は、ＰＣ等の外部接続によるアクセスはできない領域になっている。
【００３５】
上記再生処理部７は、図３に示すように、記録媒体６から読み出されたＭＰ３のような符号化されたオーディオデータのデコード処理を行うオーディオインターフェース１７（ＡＵＤＩＯ  Ｉ／Ｏ）とＤ／Ａ変換器１８とにより、デジタルのオーディオデータをアナログデータへ変換する。さらに、後段の増幅器１９により、ヘッドホン２０や、スピーカ２１，ラインアウト２２に音声信号が出力される。
【００３６】
上記通信制御部４は、図４に示すように、ホストコントローラ部５と、記録媒体６との間の通信の制御を行う中継点となり、制御信号Ｆｌａｇによりコマンド、データの通信制御を行う。上記制御信号Ｆｌａｇは、外部のＰＣ等、あるいは操作キー１５からのアクセスにおいて、アクセスする領域が、非保護領域８か、保護領域９かにより、上記制御信号Ｆｌａｇの値が変わり、通信路をＯＮ/ＯＦＦする。
【００３７】
図４中、実線は、外部のＰＣ等や、操作キーから非保護領域８へ通信可能な通信路を示し、点線は、保護領域９への通信可能な通信路を示す。
【００３８】
通信制御部４は、外部のＰＣ等からアクセスする領域が保護領域９の場合には、ＣＰＵ１３からのコマンド、データを無効にするために、外部からアクセスができないように通信路をＯＦＦする。一方、操作キー１５からＣＰＵ１３へファイルの再生等の命令がある場合には、保護領域９へのアクセスが可能となるように通信路をＯＮする。
【００３９】
また、アクセスする領域が非保護領域８の場合には、外部のＰＣ等、操作キー１５のどちらからのアクセスにおいても、ＣＰＵ１３からのコマンド、データを有効とし、外部装置からのアクセスが可能となるように通信路をＯＮする。
【００４０】
次に、上記通信制御部４にて行われる通信制御処理の動作について図５のフロー図を参照しながら手順を追って説明する。
【００４１】
上記通信制御処理は、外部のＰＣ等からの外部アクセス、または内部の操作キーからの処理をＣＰＵが検出して、ＨＤＤへアクセスを行う（ステップＳ３１）。
【００４２】
次に、ＨＤＤ内部にあるファイルとアドレスとの関係を示すテーブルであるＦＡＴ（ファイル・アロケーション・テーブル）情報を読みとる（ステップＳ３２）。これ以降、非保護領域８を領域Ａ、保護領域９を領域Ｂとして扱う。
【００４３】
次いでステップＳ３３では、上記領域Ａか、領域Ｂのどちらの領域にデータの読み書きをするのかを検出する。
【００４４】
ステップＳ３３において、領域Ａにアクセスすると判定された場合には、通信制御部４へ入力される制御信号Ｆｌａｇが「０」にセットされ（ステップＳ３４）、領域Ａへの通信路が確立されることでアクセスが可能となる（ステップＳ３５）。一方、領域Ｂにアクセスする場合には、外部ＰＣ等からのアクセスか操作キー１５からのアクセスかどうかを判断する（ステップＳ３６）。外部からのアクセスであれば、通信制御部４へ入力される通信制御Ｆｌａｇに「１」がセットされ（ステップＳ３７）、領域Ｂへの通信路が確立されないためアクセスを行うことはできない（ステップＳ３８）。一方、上記ステップＳ３６において、操作キー１５からのアクセスであると判定されれば、通信制御部４へ入力される通信制御Ｆｌａｇに「０」がセットされ（ステップＳ３９）、領域Ｂへの通信路が確立されることで、アクセス可能となる（ステップＳ４０）。
以上のステップＳ３１〜ステップＳ４０の処理を通信制御部４にて行っている。
【００４５】
次に、本発明の記録再生装置１へのコンテンツデータの記録動作について図６を用いて説明する。コンテンツデータの記録の動作としては、外部のＰＣ等が、データ入出力部１１、およびデータをバッファリングするメモリ１２を経由して入力を行うデータの書き込み（経路Ｓ１１）と、操作キー１５、および表示デバイス１４の画面にて、非保護領域８にあるコンテンツデータを選択して再生する際に、非保護領域８から保護領域９へのデータの移動に伴うデータの移動（経路Ｓ１３）とがある。
【００４６】
外部にあるＰＣ等からは、上記保護領域９は見えない領域になっているため、該保護領域９へコンテンツデータを直接記録することはできない。
【００４７】
一方、上記非保護領域８は、外部ドライブとして扱うことができる領域であり、この領域では、外部ＰＣ等、操作キー１５などによるコンテンツデータのコピー、移動、削除の処理を行うことができる。
【００４８】
以上のような記録動作のイメージによる処理を図７のフロー図を参照して説明す  る。
外部のＰＣ等からの外部アクセス、または内部の操作キー１５からの処理をＣＰＵ１３が検出して、ＨＤＤへアクセスを行う（ステップＳ４１）。次に、ＨＤＤ内部にあるＦＡＴ情報を読みとる（ステップＳ４２）。これ以降、非保護領域を領域Ａ、保護領域を領域Ｂに置き換えて説明する。
【００４９】
まず領域Ａへの記録か、領域Ｂへの記録のどちらの領域にコンテンツデータを記録するかを検出する（ステップＳ４３）。
【００５０】
ステップＳ４３の判定の結果、上記領域Ａへコンテンツデータの記録をすると判定された場合、通信制御部４にてアクセス可能であるか否かが判断され、領域Ａへ外部ＰＣ等からコンテンツデータの書き込みが行われる。（ステップＳ４４，Ｓ４５）。
【００５１】
上記領域Ａは、外部ＰＣ等からの外部アクセス、または操作キー１５からの処理にてコンテンツデータの書き込みが行われる。操作キー１５では、コンテンツデータの複製を作ることが可能である。
【００５２】
一方、上記ステップＳ４３の判定の結果、上記領域Ｂへコンテンツデータの記録をすると判定された場合、次いで、外部ＰＣ等からのアクセスか、あるいは操作キー１５からのアクセスか判断を行う（ステップＳ４６）。
【００５３】
上記ステップＳ４６において、外部アクセスであると判定された場合には、ステップＳ４７に進んで通信制御処理部４にて領域Ｂへのアクセス不可と判断される  。
【００５４】
一方、上記ステップＳ４６において、操作キー１５からの再生処理であると判定された場合には、ステップＳ４８に進み、通信制御処理部４で、領域ＡおよびＢへのアクセス可能と判断される。その後、Ｓ１３の経路で領域Ａから領域Ｂへコンテンツデータの移動が行われる（ステップＳ４９）。また、領域Ｂから領域Ａへ移動したコンテンツデータは、領域Ａより削除される。
【００５５】
以上のステップＳ４１〜Ｓ４９の手順により記録再生装置１の記録処理が行なわれる。
次に、本発明の記録再生装置１の再生動作のイメージについて図８を用いて説明する。
【００５６】
コンテンツデータの再生は、経路Ｓ１１に示されるように、外部ＰＣ等が、データ入出力部１１、バッファリングするメモリ１２、通信制御部４を経由し、さらに、経路Ｓ１３，Ｓ２４に示されるように、非保護領域８に保存されたコンテンツデータを、該非保護領域８から保護領域９に移動しての再生を行う経路と、経路Ｓ２４に示されるように、予めコンテンツデータが非保護領域８から保護領域９に移動され、該保護領域９に保存されていたコンテンツデータの再生を行う場合の２系統の再生を行う経路とがある。
【００５７】
前者の再生では、ユーザが、記録再生装置１の操作キー１５と表示デバイス１４を用い、表示デバイス１４の表示画面にツリー構造で表示されるディレクトリのファイルを非保護領域８にあるＭＰ３等の音楽ファイルを選択し、再生処理を実行させる（経路Ｓ２２）。すると非保護領域８から保護領域９へデータの移動が行われ、移動が完了すると元の音楽ファイルは、非保護領域８から削除される（経路Ｓ１３）。
【００５８】
次いで、上記音楽ファイルのデータは、メモリ１２へバッファリングされ、再生処理部７にてデコードされ、振幅調整された後に音声が出力される（経路Ｓ２４）。
【００５９】
一方、後者の再生では、音楽データが、保護領域９に最初から存在する場合で、経路Ｓ２２、Ｓ２４の手順で再生が行われる。
【００６０】
以上の経路Ｓ１１，１３，２２，２４の動作により記録再生装置１の再生が行なわれ る。
次に、以上のような再生動作のイメージによる処理を図９に示すフロー図を参照して説明する。
【００６１】
ユーザが、操作キー１５から再生処理をするとそれをＣＰＵ１３が検出し、ＨＤＤへのアクセスが行われ（ステップＳ５１）、ＨＤＤのＦＡＴ情報を読み込む（ステップＳ５２）。
【００６２】
これ以降、非保護領域を領域Ａ、保護領域を領域Ｂに置き換えて説明する。
まず、領域Ａあるいは 領域Ｂにあるコンテンツデータの再生を行うか否かを判断する（ステップＳ５３）。
【００６３】
上記ステップＳ５３において、領域Ａにあるコンテンツデータの再生であると判定された場合は、ステップＳ５４に進み、通信制御処理部４で領域Ａ，領域Ｂへのアクセスが可能であることを判断した後に、操作キー１５からコンテンツデータの再生処理のコマンド、データが送られる。
【００６４】
次の動作として、領域Ａから領域Ｂへコンテンツデータを移動して再生、または、移動しながら再生される（ステップＳ５５）。
【００６５】
一方、上記ステップＳ５３において、領域Bにあるコンテンツデータの再生であると判定された場合は、ステップS５６に進んで、通信制御処理部４で領域Ｂへのアクセスが可能であることを判断した後に、操作キー１３からコンテンツデータの再生処理のコマンド、データが送られる（Ｓステップ５７）。
【００６６】
次に、領域Ｂに存在するコンテンツデータの再生が行われる（ステップＳ５８）。
以上のステップＳ５１〜Ｓ５８の手順により記録再生装置１の再生処理が行なわれる。
【００６７】
次に、記録再生装置１の記録媒体６の詳細なファイル構造について、図１０を用いて説明する。図１０は記録媒体６のファイル構造を示した図である。図１０において、領域１００１は非保護領域８を示し、領域１００２は保護領域９を示している。このように、記録媒体６の上位領域１００１に非保護領域８が割り当てられ、下位領域１００２に保護領域９が割り当てられる。これは、外部のＰＣ等の装置が記録媒体６にアクセスするとき、上位領域から順にアクセスすることから、保護領域を下位領域に割り当てることで、保護領域のセキュリティを高めるためである。
【００６８】
また、図１０において、領域１００３及び領域１００６は、ファイル管理情報を記録するためのファイル管理領域であり、領域１００４及び領域１００５はデータを記録するためのデータ領域である。また、境界線１００７は、非保護領域８と保護領域９との境界線を示してい  る。
【００６９】
以上のようなファイル構造を有する記録媒体６に対して、ホストコントローラ部５は、非保護領域８から保護領域９へ移動するコンテンツデータの容量によって非保護領域８と保護領域９とのサイズを変更する制御を行う。また、下位領域に割り当てられた保護領域の管理情報及びデータを、それぞれ領域１００５及び領域１００６の最終セクタから順に保存する制御も行う。
【００７０】
以上のようなファイル構造を有する記録媒体６への記録動作の処理を図８及び図１１のフロー図を参照して説明する。
【００７１】
図１１のステップＳ４１からステップＳ４６までの処理内容は、上記で説明をしているので、説明を省く。これ以降、非保護領域を領域Ａ、保護領域を領域Ｂに置き換えて説明する。
【００７２】
上記ステップＳ４３で、上記領域Ｂへコンテンツデータを記録すると判定された場合、次いで、外部ＰＣ等からのアクセスか、あるいは操作キー１５からのアクセスかを判断する（ステップＳ４６）。
【００７３】
上記ステップＳ４６において、外部アクセスであると判定された場合には、ステップＳ４７に進んで通信制御処理部４にて領域Ｂへのアクセス不可と判定される。
【００７４】
一方、上記ステップＳ４６において、操作キー１５からの再生処理であると判定された場合には、ステップＳ４８に進み、通信制御処理部４で、領域ＡおよびＢへのアクセス可能と判断される  。
【００７５】
ステップＳ４８の後、ステップＳ１１０１に進み、ホストコントローラ部５が、コンテンツデータの容量を取得して、コンテンツデータのサイズ分を、領域Ｂのデータ領域に確保するために、領域Ａと領域Ｂとのデータ領域を調整する処理を行う（ステップＳ１１０２）。その後、Ｓ１３の経路で領域Ａから領域Ｂへコンテンツデータの移動が行われる（ステップＳ４９）。また、領域Ａから領域Ｂへ移動したコンテンツデータは、領域Ａより削除される。
【００７６】
以上のステップＳ４１〜Ｓ４９及びステップＳ１１０１〜Ｓ１１０２の手順により記録再生装置１の記録処理が行われる。
【００７７】
以上のように、本実施の形態１にかかる記録再生装置によれば、記録媒体６に保護領域９と非保護領域８とを設け、ホストコントローラ部５からの命令でデータの再生をする際に、著作権保護が必要なデータに対しては、上記非保護領域８から上記保護領域９へ該データを移動させ、上記保護領域９へ移動したデータに対する外部装置からのアクセスを不可能となるように制御したので、著作権の保護を必要とするコンテンツデータを専用のソフトウェアまたは、暗号化プログラムによって、暗号化/復号処理を行うための処理を必要とすることがなく、ユーザの手間をとることがない。また、暗号化/復号処理の時間を省略することができるため、記録再生装置の処理時間の短縮を図ることができるとともに、低消費電力化を図ることもできる。
【００７８】
また、本実施の形態１にかかる記録再生装置によれば、記録媒体６の保護領域と非保護領域のサイズを、非保護領域８から保護領域９へ移動するコンテンツデータの容量によって変更するようにしたことから、記録媒体６の限られた記録領域を効率良く使用することができる。
【００７９】
なお、上記実施の形態における記録再生装置においてコンテンツデータとしてオーディオデータを用いたが、映像データなどの画像のコンテンツやテキストデータその他のコンテンツデータについても、本発明を適用できるのはいうまでもない。
【産業上の利用可能性】
【００８０】
本発明にかかる記録再生装置は、著作権の保護を必要とするコンテンツデータを大容量記録媒体へ記録する場合において、ユーザが専用のソフトウェアを用いた暗号化処理をすることなく著作権の保護を行え、ユーザの手間や暗号化処理時間を省略可能とし、特に、外部機器よりデジタルデータを保存する記録装置やオーディオ再生装置等の用途にも適用できる。
【図面の簡単な説明】
【００８１】
【図１】本発明の実施の形態１における記録再生装置の構成図
【図２】上記実施の形態１における記録再生装置を構成するホストコントローラ部の構成図
【図３】上記実施の形態１における記録再生装置を構成する再生処理部の構成図
【図４】上記実施の形態１における記録再生装置を構成する通信制御部の構成図
【図５】上記実施の形態１における記録再生装置の通信制御処理のフローチャートを示す図
【図６】上記実施の形態１における記録再生装置への記録動作のイメージを示す図
【図７】上記実施の形態１における記録再生装置への記録処理の流れを示すフローチャートを記載した図
【図８】上記実施の形態１における記録再生装置への再生動作のイメージを示す図
【図９】上記実施の形態１における記録再生装置への再生処理の流れを示すフローチャートを記載した図
【図１０】上記実施の形態１における記録再生装置のファイル構成図
【図１１】上記実施の形態１における記録再生装置の記録媒体への記録動作の流れを示すフローチャートを記載した図
【符号の説明】
【００８２】
１  記録再生装置
２  ＨＤコントローラ
３  ディスク
４  通信制御部
５  ホストコントローラ部
６  記録媒体
７，５１  再生処理部
８，１００１  非保護領域
９，１００２  保護領域
１１  データ入出力部
１２  メモリ
１３  ＣＰＵ
１４  表示デバイス
１５  操作キー
１６  バス
１７  ＡＵＤＩＯ  Ｉ／Ｆ
１８  Ｄ／Ａ変換器
１９  増幅器
２０  ヘッドフォン
２１  スピーカ
２２  ラインアウト
１００３，１００６  管理情報領域
１００４，１００５  データ領域
【図１】
2005158011.tif 000003
【図２】
2005158011.tif 000004
【図３】
2005158011.tif 000005
【図４】
2005158011.tif 000006
【図５】
2005158011.tif 000007
【図６】
2005158011.tif 000008
【図７】
2005158011.tif 000009
【図８】
2005158011.tif 000010
【図９】
2005158011.tif 000011
【図１０】
2005158011.tif 000012
【図１１】
2005158011.tif 000013